【事件の表示】
　特願２００３−１６００６６「画像形成システム、及び、画像形成装置」拒絶査定不服審判事件〔平成１６年１２月２４日出願公開、特開２００４−３６１６８１〕について、次のとおり審決する。
【結　論】
　本件審判の請求は、成り立たない。
【理　由】
１．手続の経緯
　本願は、平成１５年６月４日の出願であって、原審において、平成１７年６月３０日付けで通知された拒絶理由に対して、同年９月２日付けで手続補正書が提出され、その後、同年１０月１８日に拒絶査定がなされたものであり、これに対し、同年１１月２４日に拒絶査定に対する審判請求がなされるとともに、同年１２月６日付けで手続補正がなされたものである。  
　
　
２．平成１７年１２月６日付けの手続補正についての補正却下の決定
　
［補正却下の決定の結論］
　平成１７年１２月６日付けの手続補正（以下、「本件補正」という。）を却下する。
　
［理由］
（１）補正後の本願発明
　本件補正は、特許請求の範囲の請求項１について、
　補正前の「現像剤を収容するための現像剤収容体が着脱可能な複数の着脱部と、潜像を担持するための像担持体と、を有し、
　前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、
　前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置と、
　前記画像形成装置に対し単色画像形成の実行及びカラー画像形成の実行の少なくともどちらか一方を指示することが可能なドライバを備え、前記画像形成装置と通信可能なコンピュータと、
　を有する画像形成システムにおいて、
　前記カラー画像形成装置として使用している画像形成装置に対し前記ドライバによって前記単色画像形成の実行が指示された際には、前記画像形成装置は画像を形成し、
　前記単色画像形成装置として使用している画像形成装置に対し前記ドライバによって前記カラー画像形成の実行が指示され、カラー画像データが送出された際には、前記画像形成装置は当該カラー画像データを消去して画像を形成しない旨を示す制御信号を前記コンピュータに返し、コンピュータは前記制御信号を受信して画像を形成しない旨を示すメッセージを表示することを特徴とする画像形成システム。」を、
　「現像剤を収容するための現像剤収容体が着脱可能な複数の着脱部と、潜像を担持するための像担持体と、を有し、
　前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、
　前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置と、
　前記画像形成装置に対し単色画像形成の実行及びカラー画像形成の実行の少なくともどちらか一方を指示することが可能なドライバを備え、前記画像形成装置と通信可能なコンピュータと、
　を有する画像形成システムにおいて、
　
各着脱部に対する前記現像剤収容体の装着状態に応じて書き換えられる装着情報と、前記装着情報に基づいて設定される機種情報を有し、前記画像形成装置は、電源がＯＮされたときの前記機種情報が前記単色画像形成装置を示す情報である場合には、電源がＯＦＦされるまで前記単色画像形成装置として使用され、電源がＯＮされたときの前記機種情報が前記カラー画像形成装置を示す情報である場合には、電源がＯＦＦされるまで前記カラー画像形成装置として使用され、
　前記単色画像形成装置として使用している画像形成装置に対し前記ドライバによって前記カラー画像形成の実行が指示され、カラー画像データが送出された際には、前記画像形成装置は、
電源がＯＮされたときの前記機種情報である、前記単色画像形成装置を示す情報、に基づき、
　この補正事項について検討すると、本件補正により、請求項１に下線部の事項が追加されたが、
　追加された（Ａ）「
各着脱部に対する前記現像剤収容体の装着状態に応じて書き換えられる装着情報と、前記装着情報に基づいて設定される機種情報を有し、前記画像形成装置は、電源がＯＮされたときの前記機種情報が前記単色画像形成装置を示す情報である場合には、電源がＯＦＦされるまで前記単色画像形成装置として使用され、電源がＯＮされたときの前記機種情報が前記カラー画像形成装置を示す情報である場合には、電源がＯＦＦされるまで前記カラー画像形成装置として使用され
　また、同じく追加された（Ｂ）「
電源がＯＮされたときの前記機種情報である、前記単色画像形成装置を示す情報、に基づき
　さらに、特許請求の範囲の請求項８，９についても、本件補正により、請求項１と同様の事項が追加されており、いずれも、補正前の発明特定事項を限定するものであるということができる。
　
　よって、本件補正は、平成１８年改正前特許法第１７条の２第４項第２号の特許請求の範囲の減縮を目的とするものに該当する。
　
　そこで、本件補正後の請求項１に記載された次の発明（以下、「本願補正発明」という。）が特許出願の際独立して特許を受けることができるものであるか（平成１８年改正前特許法第１７条の２第５項において準用する同法第１２６条第５項の規定に適合するか）について、以下に検討する。　
　
　「現像剤を収容するための現像剤収容体が着脱可能な複数の着脱部と、潜像を担持するための像担持体と、を有し、
　前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、
　前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置と、
　前記画像形成装置に対し単色画像形成の実行及びカラー画像形成の実行の少なくともどちらか一方を指示することが可能なドライバを備え、前記画像形成装置と通信可能なコンピュータと、
　を有する画像形成システムにおいて、
　各着脱部に対する前記現像剤収容体の装着状態に応じて書き換えられる装着情報と、
　前記装着情報に基づいて設定される機種情報を有し、
　前記画像形成装置は、電源がＯＮされたときの前記機種情報が前記単色画像形成装置を示す情報である場合には、電源がＯＦＦされるまで前記単色画像形成装置として使用され、
　電源がＯＮされたときの前記機種情報が前記カラー画像形成装置を示す情報である場合には、電源がＯＦＦされるまで前記カラー画像形成装置として使用され、
　前記カラー画像形成装置として使用している画像形成装置に対し前記ドライバによって前記単色画像形成の実行が指示された際には、前記画像形成装置は画像を形成し、
　前記単色画像形成装置として使用している画像形成装置に対し前記ドライバによって前記カラー画像形成の実行が指示され、カラー画像データが送出された際には、前記画像形成装置は、電源がＯＮされたときの前記機種情報である、前記単色画像形成装置を示す情報、に基づき、当該カラー画像データを消去して画像を形成しない旨を示す制御信号を前記コンピュータに返し、コンピュータは前記制御信号を受信して画像を形成しない旨を示すメッセージを表示することを特徴とする画像形成システム。」
　
（２）引用例
（２−１）刊行物１
　原審の拒絶の理由に引用された、本願の出願前に頒布された特開２００３−４３７７３号公報（以下、「刊行物１」という。）には、図面とともに以下の事項が記載されている。
　（２−１ａ）「【００２１】
【発明の実施の形態】図１は、この発明にかかる画像形成装置の一の実施形態を示す図である。図２は図１の画像形成装置のエンジンコントローラを示すブロック図である。この画像形成装置は、イエロー（Ｙ）、マゼンタ（Ｍ）、シアン（Ｃ）、ブラック（Ｋ）の４色のトナーを重ね合わせてフルカラー画像を形成（カラー印刷モード）したり、ブラック（Ｋ）のトナーのみを用いて単色画像を形成（単色印刷モード）する装置である。この画像形成装置では、ホストコンピュータなどの外部装置から画像信号が制御ユニットのメインコントローラに与えられると、このメインコントローラからの指令に応じてエンジンコントローラ１がエンジン部ＥＧの各部を制御して複写紙、転写紙、用紙およびＯＨＰ用透明シートなどのシートＳに画像信号に対応する画像を形成する。
　【００２２】このエンジン部ＥＧでは、７つのユニット：(a)感光体ユニット２；(b)イエロー現像ユニット３Ｙ；(c)マゼンタ現像ユニット３Ｍ；(d)シアン現像ユニット３Ｃ；(e)ブラック現像ユニット３Ｋ；(f)中間転写ユニット４および(g)定着ユニット５が装置本体６に対して着脱自在となっている。」
　（２−１ｂ）「【００３２】ロータリー現像部３は、その中心に回転軸３ａを有するとともに、かかる回転軸３ａに固定された支持フレーム３ｂを有しており、前述した４色の現像ユニット３Ｙ、３Ｍ、３Ｃ、３Ｋは本発明の「ユニット保持部」として機能する支持フレーム３ｂに対して着脱自在となっている。」　
　ここで、この記載と、図１，３の記載から、支持フレーム３ｂには、各現像ユニット３Ｙ、３Ｍ、３Ｃ、３Ｋを着脱可能な「複数の着脱部」といってよいものがあることを認めることができる。
　（２−１ｃ）「【００３９】次に、エンジンコントローラ１の構成について図２を参照しつつ説明する。このエンジンコントローラ１は本発明の「制御手段」として機能するものであり、ＨＰ検出部３１からの信号とパルスモータのパルス数などに基づきＣＰＵ１１により後述するプログラムを実行して装置各部を制御する。なお、このＣＰＵ１１には、プログラムや他のデータなどを記憶するためのＲＯＭ１２、各種データを一時的に記憶するＲＡＭ１３が接続されている。
　【００４０】また、ＣＰＵ１１は、シリアルＩ／Ｆ（インターフェース）１５を介して電子カウンタに用いるシリアルＥＥＰＲＯＭ１４に接続されている。このシリアルＥＥＰＲＯＭ１４には、装置制御のために必要となるデータが記憶されている。また、ＣＰＵ１１は、シリアルＩ／Ｆ１５を介して各ユニット２、４、５およびコネクタ３４に接続されており、各ユニット２、４、５および、コネクタ３４と適宜接続される各現像ユニット３Ｙ、３Ｍ、３Ｃ、３Ｋに設けられたシリアルＥＥＰＲＯＭ７１〜７７との間でデータ転送可能となるとともに、入出力ポート１６を介してシリアルＥＥＰＲＯＭ１４、７１〜７７にチップセレクト信号ＣＳを入力可能となっている。」
　（２−１ｄ）「【００４３】次に、このように構成された画像形成装置における現像ユニットの交換操作について説明する。図４は、交換操作時におけるエンジンコントローラ１の動作を示すフローチャートである。ここでは一例としてブラック現像ユニット３Ｋを交換する場合について図３および図４を参照しつつ説明するが、その他のトナー色の現像ユニットについても同様である。
　【００４４】この装置では、ユーザ等から現像ユニットの交換が指示されると、エンジンコントローラ１はステップＳ１〜Ｓ９を実行してブラック現像ユニット３Ｋの交換処理を実行する。
　・・・（中略）・・・
　【００５２】このように、ブラック現像ユニット３Ｋの交換が終了した時点で、エンジンコントローラ１のＥＥＰＲＯＭ１４には、ブラック現像ユニット３Ｋが装着されているか否かやその使用状況を示すデータが記憶されており、これは他の現像ユニットの交換作業を行った場合も同様である。したがって、エンジンコントローラ１は、シリアルＩ／Ｆ１５を介してＥＥＰＲＯＭ１４に書き込まれたデータを随時読み出すことで、各現像ユニットの装着状態や使用状況に関する情報を得ることができる。」
　（２−１ｅ）「【００５３】次に、こうして各現像ユニットの装着が完了して待機状態にある画像形成装置に対し、外部装置（ここでは、ホストコンピュータ）から画像信号が与えられたときの動作について、図５のフローチャートを参照しつつ説明する。
　【００５４】ホストコンピュータは、まず画像形成装置が印刷可能な状態（レディ状態）にあるか否かを確認するためのステータス要求信号を出力する。画像形成装置側では、ホストコンピュータからの信号を受信すると（ステップＳ１１）、この信号の内容を識別する。そして、この信号がステータス要求信号であれば（ステップＳ１２）、ＣＰＵ１１はＥＥＰＲＯＭ１４に記憶された、各現像ユニットに関するデータを読み出し、各現像ユニットの装着状態を確認してその状態に応じた応答信号をホストコンピュータに送信する。
　【００５５】具体的には、ブラック現像ユニット３Ｋが装着されていなければ（ステップＳ１３）、カラー、単色とも印刷を行うことはできないので、ＣＰＵ１１はホストコンピュータに対し、印刷不可能な状態（ノットレディ状態）であることを示すノットレディ信号を返す（ステップＳ１５）。一方、ブラック現像ユニット３Ｋが装着されているとき、少なくともブラック色による単色印刷、つまり単色印刷モードは実行可能であるので、ＣＰＵ１１はエンジン部ＥＧがレディ状態であることを示すレディ信号を返す（ステップＳ１４）。そして、ステップＳ１１に戻り、ホストコンピュータからの信号待ち状態となる。
　【００５６】こうして画像形成装置からの応答を受けたホストコンピュータは、その応答がレディ信号のとき、引き続いて印刷すべき画像情報を示す信号（画像信号）を送信し、画像形成装置側では、受信した信号が画像信号であるとき（ステップＳ１６）、その内容に基づき以下のステップＳ１７〜Ｓ２１を実行する。
　【００５７】まず、画像信号を受信したとき、画像形成装置がノットレディ状態（例えばブラック現像ユニット３Ｋが装着されていない）にあれば、ＣＰＵ１１はホストコンピュータに対してノットレディ信号を出力する（ステップＳ１５）。
　【００５８】一方、装置がレディ状態にあるとき、受信した画像信号がブラック単色印刷に対応したものであるかどうかを判定する（ステップＳ１８）。そして、画像信号が単色印刷に対応したものであれば、ＣＰＵ１１は、ＲＯＭ１２に記憶された所定の単色印刷シーケンスに基づいてエンジン部ＥＧ各部を制御して、画像信号に応じたブラック単色印刷モードを実行する（ステップＳ１９）。
　【００５９】また、装置がレディ状態にあり、しかも画像信号がカラー印刷に対応したものであれば、ＣＰＵ１１はＥＥＰＲＯＭ１４に記憶されたデータから、イエロー（Ｙ）、マゼンタ（Ｍ）、シアン（Ｃ）の各トナー色に対応した現像ユニット３Ｙ、３Ｍ、３Ｃが装着されているかどうかを確認する（ステップＳ２０）。そして、いずれかの現像ユニットが装着されていない場合には、ノットレディ信号を出力し（ステップＳ１５）、全ての現像ユニットが装着されている場合には、所定のカラー画像形成シーケンスに基づいてカラー印刷モードを実行する（ステップＳ２１）。
　【００６０】このように、本実施形態の画像形成装置は、各現像ユニット３Ｙ、３Ｍ、３Ｃ、３Ｋの装着状態に応じて、ホストコンピュータからの印刷指令に対する動作を異ならせている。すなわち、
（１）ブラック現像ユニット３Ｋが装着されていないとき、単色印刷モード、カラー印刷モードとも許可しない
（２）ブラック現像ユニット３Ｋが装着されているとき、単色印刷モードを許可する
（３）ブラック現像ユニット３Ｋに加えて、さらに、イエロー、マゼンタ、シアンの各現像ユニット３Ｙ、３Ｍ、３Ｃが全て装着されているとき、カラー印刷モードを許可する
のように区別して、各現像ユニット３Ｙ、３Ｍ、３Ｃ、３Ｋの装着状態に応じた処理を実行する。
　・・・（中略）・・・
　【００６３】そして、全ての現像ユニット３Ｙ、３Ｍ、３Ｃ、３Ｋを装着することで、従来の装置と同様に、フルカラー画像形成装置として使用することができる。もちろん、この状態においてもホストコンピュータから単色印刷に対応した画像信号を受信した場合には、ブラック現像ユニット３Ｋを用いてブラック単色印刷を行うことが可能である。」
　（２−１ｆ）「【００６８】また、上記実施形態の印刷処理においては、ブラック現像ユニット３Ｋが装着されているか否かでレディ／ノットレディ状態を区別し、画像信号がカラー画像であったときにカラー印刷が可能であるか否かを判定しているが、
これ以外にも、例えば、ホストコンピュータからのステータス要求があったときに、装置の状態を単色レディ／カラーレディ／ノットレディ状態に区分して応答するようにしてもよい
　【００６９】また、上記実施形態の画像形成装置では、４色のフルカラー画像用トナーのうちブラック色のみを用いた単色画像を形成可能となっているが、他のトナー色による単色画像を形成可能な装置としてもよい。」
　ここで、【００６８】の下線は当審で付したが、下線部分の記載から、各現像ユニットの装着状態に関する情報に基づき、画像形成装置の状態を単色レディ（単色印刷モード）／カラーレディ（カラー印刷モード）／ノットレディ状態として認識するものと理解することができる。
　
　これら記載によれば、刊行物１には以下の発明が記載されているものと認められる。
　
　「ブラック、イエロー、マゼンタ、シアンの各現像ユニットが着脱自在な複数の着脱部と、感光体ユニットと、を有し、
　ブラック、イエロー、マゼンタ、シアンの各現像ユニットが全て装着されているとき、カラー印刷モードが許可され、
   いずれかの現像ユニットのみが装着されているとき、単色印刷モードを許可される、画像形成装置と、
　画像形成装置に対しカラー印刷の画像信号及び単色印刷の画像信号を送信するホストコンピュータと
　を有する画像形成システムにおいて、
　画像形成装置におけるエンジンコントローラのＥＥＰＲＯＭ１４には、各現像ユニットの装着状態に関する情報が記憶されるとともに、現像ユニットの交換に応じて書き換えられ、
　各現像ユニットの装着状態に関する情報に基づき、画像形成装置の状態を単色レディ（単色印刷モード）／カラーレディ（カラー印刷モード）／ノットレディ状態として認識し、
  カラーレディ（カラー印刷モード）の場合、単色印刷に対応した画像信号を受信したときに、画像形成装置は単色印刷を行い、
　単色レディ（単色印刷モード）の場合、カラー印刷に対応した画像信号を受信したときに、画像形成装置はカラー印刷を行わない、
　画像形成システム。」
　
（２−２）刊行物２
　原審の拒絶の理由に引用された、本願の出願前に頒布された特開２００１−８３７５０号公報（以下、「刊行物２」という。）には、トナー容器に色トナーが無い状態で、ホストコンピュータからカラープリントが要求されると、プリンタ側から色トナー無しの情報をホストコンピュータに返し、ホストコンピュータはモニタに「イエローのトナーが無くなりました。モノクロでの印字はできます。」旨を表示する事項が記載されている（【０１０７】、図２８など参照）。
　
（３）対比・判断
　そこで、本願補正発明と刊行物１記載の発明とを対比する。
　まず、刊行物１記載の発明の（ア）「ブラック、イエロー、マゼンタ、シアンの各現像ユニットが着脱自在な複数の着脱部」、（イ）「感光体ユニット」、（ウ）「ブラック、イエロー、マゼンタ、シアンの各現像ユニットが全て装着されているとき、カラー印刷モードが許可され」、（エ）「いずれかの現像ユニットのみが装着されているとき、単色印刷モードを許可される」、（オ）「像形成装置におけるエンジンコントローラのＥＥＰＲＯＭ１４には、各現像ユニットの装着状態に関する情報が記憶されるとともに、現像ユニットの交換に応じて書き換えられ」は、
　それぞれ、本願補正発明の（ア）「現像剤を収容するための現像剤収容体が着脱可能な複数の着脱部」、（イ）「潜像を担持するための像担持体」、（ウ）「前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり」、（エ）「前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である」、（オ）「各着脱部に対する前記現像剤収容体の装着状態に応じて書き換えられる装着情報」に相当する。
　また、（カ）刊行物１記載の発明の「画像形成装置に対しカラー印刷の画像信号及び単色印刷の画像信号を送信するホストコンピュータ」と、本願補正発明の「画像形成装置に対し単色画像形成の実行及びカラー画像形成の実行の少なくともどちらか一方を指示することが可能なドライバを備え、前記画像形成装置と通信可能なコンピュータ」について、前者のホストコンピュータも、後者のコンピュータが備えるドライバと同様なものを当然に有しているものとみることができるから、両者は実質的に同じである。
　さらに、刊行物１記載の発明の（キ）「各現像ユニットの装着状態に関する情報に基づき、画像形成装置の状態を単色レディ（単色印刷モード）／カラーレディ（カラー印刷モード）／ノットレディ状態として認識し」、（ク）「カラーレディ（カラー印刷モード）の場合、単色印刷に対応した画像信号を受信したときに、画像形成装置は単色印刷を行い」は、実質的に、それぞれ、本願補正発明の（キ）「前記装着情報に基づいて設定される機種情報を有し」、（ク）「前記カラー画像形成装置として使用している画像形成装置に対し前記ドライバによって前記単色画像形成の実行が指示された際には、前記画像形成装置は画像を形成し」に相当するものということができる。
　加えて、（ケ）刊行物１記載の発明の「単色レディ（単色印刷モード）の場合、カラー印刷に対応した画像信号を受信したときに、画像形成装置はカラー印刷を行わない」と、本願補正発明の「前記単色画像形成装置として使用している画像形成装置に対し前記ドライバによって前記カラー画像形成の実行が指示され、カラー画像データが送出された際には、前記画像形成装置は、電源がＯＮされたときの前記機種情報である、前記単色画像形成装置を示す情報、に基づき、当該カラー画像データを消去して画像を形成しない旨を示す制御信号を前記コンピュータに返し」とは、カラー画像の形成を行わない点で共通する。
　
　以上のことから、本願補正発明と刊行物１記載の発明の一致点、相違点は以下のとおりと認められる。
　
［一致点］
　「現像剤を収容するための現像剤収容体が着脱可能な複数の着脱部と、潜像を担持するための像担持体と、を有し、
　前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、
　前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置と、
　前記画像形成装置に対し単色画像形成の実行及びカラー画像形成の実行の少なくともどちらか一方を指示することが可能なドライバを備え、前記画像形成装置と通信可能なコンピュータと、
　を有する画像形成システムにおいて、
　各着脱部に対する前記現像剤収容体の装着状態に応じて書き換えられる装着情報と、
　前記装着情報に基づいて設定される機種情報を有し、
　前記カラー画像形成装置として使用している画像形成装置に対し前記ドライバによって前記単色画像形成の実行が指示された際には、前記画像形成装置は画像を形成し、
　前記単色画像形成装置として使用している画像形成装置に対し前記ドライバによって前記カラー画像形成の実行が指示され、カラー画像データが送出された際には、前記画像形成装置は、カラー画像の形成を行わない、
　画像形成システム。」
　
［相違点１］
　本願補正発明では、画像形成装置は、電源がＯＮされたときの機種情報が単色画像形成装置を示す情報である場合には、電源がＯＦＦされるまで単色画像形成装置として使用され、電源がＯＮされたときの機種情報がカラー画像形成装置を示す情報である場合には、電源がＯＦＦされるまでカラー画像形成装置として使用されるものであるのに対し、
　刊行物１記載の発明では、そのような限定がない点。
　
［相違点２］
　単色画像形成装置として使用している画像形成装置に対しドライバによってカラー画像形成の実行が指示され、カラー画像データが送出された際において、
　本願補正発明では、画像形成装置は、電源がＯＮされたときの機種情報である、単色画像形成装置を示す情報、に基づき、カラー画像データを消去して画像を形成しない旨を示す制御信号をコンピュータに返し、コンピュータは制御信号を受信して画像を形成しない旨を示すメッセージを表示するのに対し、
　刊行物１記載の発明では、そのような記載がない点。
　
　そこで、上記相違点について検討する。
　
（相違点１について）
　一般に、画像形成装置において、印刷用の各種設定データが、装置本体の制御部を構成するＥＥＰＲＯＭに書き込まれており、電源が投入（ＯＮ）された後の初期化処理によって、当該ＥＥＰＲＯＭから読み出されて、ＲＡＭ（ランダムアクセス・メモリ）に転送され、印刷動作の制御に供されることは、本願出願前に周知の技術である（例えば、特開平４−３２６３６５号公報［【０００２】など］、特開平４−１９６７０号公報［第４頁右下欄第１２行〜第５頁左上欄など］を参照）。そして、刊行物１記載の発明における、装着情報（各現像ユニットの装着状態に関する情報）、機種情報（単色レディ（単色印刷モード）／カラーレディ（カラー印刷モード）／ノットレディの状態）も、印刷用の各種設定データの一種ということがいえる。　
　また、電源投入（ＯＮ）毎に、交換可能な作像ユニットの状態を検知して確認する制御動作は、本願出願前に周知の技術でもある（例えば、特開昭６２−１０３６５９号公報［第３頁右下欄第８行〜第４頁右上欄など］、特開平７−１６０１５７号公報［【００３０】〜【００３７】など］、特開平２−２２００７１号公報［第２頁右下欄第６行〜第３頁など］を参照）。
　これらの事項を勘案すると、刊行物１記載の発明において、機種情報（単色レディ（単色印刷モード）／カラーレディ（カラー印刷モード）の状態）を、電源ＯＮ時にＲＡＭ（例えばＲＡＭ１３）に読み込んで、電源ＯＦＦまで保持し、単色又はカラーの画像形成装置として使用することにより、相違点１に係る構成を有するものとすることは、当業者が容易になし得ることというべきである。
　
（相違点２について）
　刊行物２には、上記のように、トナー容器に色トナーが無い状態で、ホストコンピュータからカラープリントが要求されると、プリンタ側から色トナー無しの情報をホストコンピュータに返し、ホストコンピュータはモニタに「イエローのトナーが無くなりました。モノクロでの印字はできます。」旨を表示する事項が記載されており、
　この事項を、刊行物１記載の発明において応用して、単色画像形成装置として使用している場合にカラー画像形成の実行が指示されカラー画像データが送出された際には、画像を形成しない旨を示す制御信号をコンピュータに返し、コンピュータは制御信号を受信して画像を形成しない旨を示すメッセージを表示することは、当業者が容易になし得ることである。
　また、その際、画像形成装置が、電源がＯＮされたときの機種情報である、単色画像形成装置を示す情報に基づき、カラー画像データを消去するようになすことも、当業者が適宜容易になし得る程度のことである。
　
　そして、全体としてみて、本願補正発明によってもたらされる効果も、刊行物１、２記載の事項、及び上記周知の技術から、当業者であれば当然に予測できる程度のものであって、格別のものとはいえない。
　
　したがって、本願補正発明は、刊行物１、２記載の発明、及び上記周知の技術に基づいて当業者が容易に発明をすることができたものであるから、特許法第２９条第２項の規定により特許出願の際独立して特許を受けることができない。
　
（４）むすび
　以上のとおり、本件補正は、平成１８年改正前特許法第１７条の２第５項において準用する同法１２６条第５項の規定に違反するので、同法第１５９条第１項において読み替えて準用する同法第５３条第１項の規定により却下すべきものである。
　
　
３．本願発明について
　平成１７年１２月６日付けの手続補正は上記のとおり却下されたので、本願の請求項１〜９に係る発明は、平成１７年９月２日付け手続補正書により補正された明細書の特許請求の範囲の請求項１〜９に記載されたとおりのものであるところ、請求項１に係る発明（以下、「本願発明１」という。）は、次のとおりである。
　
　「【請求項１】　現像剤を収容するための現像剤収容体が着脱可能な複数の着脱部と、潜像を担持するための像担持体と、を有し、
　前記複数の着脱部のそれぞれに現像剤収容体が装着された場合には、それぞれの現像剤収容体に収容された現像剤により前記像担持体に担持された潜像を現像してカラー画像を形成するカラー画像形成装置として使用可能であり、
　前記複数の着脱部のうちの一の着脱部のみに現像剤収容体が装着された場合には、該現像剤収容体に収容された現像剤により前記像担持体に担持された潜像を現像して単色画像を形成する単色画像形成装置として使用可能である画像形成装置と、
　前記画像形成装置に対し単色画像形成の実行及びカラー画像形成の実行の少なくともどちらか一方を指示することが可能なドライバを備え、前記画像形成装置と通信可能なコンピュータと、
　を有する画像形成システムにおいて、
　前記カラー画像形成装置として使用している画像形成装置に対し前記ドライバによって前記単色画像形成の実行が指示された際には、前記画像形成装置は画像を形成し、
　前記単色画像形成装置として使用している画像形成装置に対し前記ドライバによって前記カラー画像形成の実行が指示され、カラー画像データが送出された際には、前記画像形成装置は当該カラー画像データを消去して画像を形成しない旨を示す制御信号を前記コンピュータに返し、コンピュータは前記制御信号を受信して画像を形成しない旨を示すメッセージを表示することを特徴とする画像形成システム。」
　
（１）引用例　
　原審の拒絶の理由に引用された、本願の出願前に頒布された刊行物である、特開２００３−４３７７３号公報（以下、「刊行物１」という。）及び特開２００１−８３７５０号公報（以下、「刊行物２」という。）の記載事項は、上記「２．（２）」に記載したとおりである。
　
（２）対比・判断
　本願発明１は、上記「２．（１）」で示したように、
　本願補正発明から、（Ａ）「各着脱部に対する前記現像剤収容体の装着状態に応じて書き換えられる装着情報と、前記装着情報に基づいて設定される機種情報を有し、前記画像形成装置は、電源がＯＮされたときの前記機種情報が前記単色画像形成装置を示す情報である場合には、電源がＯＦＦされるまで前記単色画像形成装置として使用され、電源がＯＮされたときの前記機種情報が前記カラー画像形成装置を示す情報である場合には、電源がＯＦＦされるまで前記カラー画像形成装置として使用され」、及び（Ｂ）「電源がＯＮされたときの前記機種情報である、前記単色画像形成装置を示す情報、に基づき」を省いたものに相当する。
　本願発明１と刊行物１記載の発明とを対比すると、両者は、上記「２．（３）」で示した相違点２において上記（Ｂ）の事項を除いた以下の点で相違するに過ぎない。
　［相違点］単色画像形成装置として使用している画像形成装置に対しドライバによってカラー画像形成の実行が指示され、カラー画像データが送出された際において、
　本願発明１では、画像形成装置は、カラー画像データを消去して画像を形成しない旨を示す制御信号をコンピュータに返し、コンピュータは制御信号を受信して画像を形成しない旨を示すメッセージを表示するのに対し、
　刊行物１記載の発明では、そのような記載がない点。
　そして、この相違点は、上記「２．（３）」の相違点２の検討で示したのと同様の理由により、刊行物２記載の事項から当業者が容易になし得ることである。
　したがって、本願発明１は、刊行物１、２記載の発明に基づいて当業者が容易に発明をすることができたものである。
　
（３）むすび
　以上のとおり、本願の請求項１に係る発明は、特許法第２９条第２項の規定により特許を受けることができないものであるから、他の請求項について検討するまでもなく、本願は拒絶すべきものである。
　よって、結論のとおり審決する。